(57)【要約】【課題】省資源化だけでなく、冷たさを感じさせないという観点からの体感性にも優れている使い捨て便座シートを提供する。【解決手段】相互に隣接する一方の樹脂シートと他方の樹脂シートの間に気泡を介在させてなる気泡緩衝材２を用いて使い捨て便座シート１を形成する。気泡緩衝材２は、リサイクル性の観点からは、例えばポリエチレン製であることが好ましい。焼却時にダイオキシンなどの有害ガスを発生させず普通ゴミとして廃棄できるという観点からは生分解性であることが好ましい。便器内に捨てて水洗できるという観点からは水溶性であることが好ましい。【選択図】図１
2020049358.tif 000002
【特許請求の範囲】
【請求項１】
相互に隣接する一方の樹脂シートと他方の樹脂シートの間に気泡を介在させてなる気泡緩衝材を用いて形成された使い捨て便座シート。
【請求項２】
前記気泡緩衝材は、ポリエチレン製であることを特徴とする請求項１に記載の使い捨て便座シート。
【請求項３】
前記気泡緩衝材は、生分解性であることを特徴とする請求項１に記載の使い捨て便座シート。
【請求項４】
前記気泡緩衝材は、水溶性であることを特徴とする請求項１に記載の使い捨て便座シート。
【発明の詳細な説明】
【技術分野】
【０００１】
本発明は、使い捨て便座シートに関する。より詳しくは、公園や駅前などの公衆トイレなどに用いられる使い捨て便座シートに関する。
【背景技術】
【０００２】
従来、公園や駅前などの公衆トイレに用いられる使い捨て便座シートとしては、紙製品が知られている（特許文献１参照）。これらは、トイレットペーパーのようにロール状に券回された形で使用される。使用時にはシートの先端を指で引っ張り、切り取り線に沿って切断する。そして、使い捨て便座シートを便座に敷くことにより、着座者の太腿の肌が直接便器に触れることがなくなり、苦痛を伴う冷感を低減させることができる。
なお、便座使用後は、便座から使い捨て便座シートを取り除き、廃棄することになる。このとき、当該シートが水溶性であれば、水洗時に流すことができる（特許文献２参照）。
【０００３】
しかし、特許文献１の使い捨て便座シートは、紙製であるため厚みが小さく、直ぐに熱が便座に伝わり、すなわち太腿の肌を介して体熱が直ぐに便座に吸熱され、冷たさを感じる。
この冷たさを低減できる素材としては、例えば、織布、不織布又は発泡樹脂が挙げられる（特許文献３参照）。
【０００４】
しかし、織布や不織布といった布製の使い捨て便座シートは、制作時の手間や省資源化の観点から、適切とは言えない。また、冷感解消のために、使用上及び携帯上、支障がない程度に厚みを必要とするため、上記観点から不適切性が増す。なお、不織布であれば、繊維間の接着力が水中で弱くなるため、水洗には適している（特許文献４参照）。
【０００５】
発泡樹脂としては、主なものとして、発泡ポリプロピレン、発泡ポリエチレン及び発泡ポリオレフィンが知られている（特許文献５参照）。これらは、気泡が混入しているため、断熱性に優れ、着座時に冷たさを感じ難いため、熱の観点から適切な素材である。しかし、上記同様に使い捨てるには省資源化の観点から好ましくない。
省資源化の観点からは、ポリエチレンなどの樹脂シートが優れている。リサイクルが可能であるからである。紙と並列的に選択される素材として知られている（特許文献６参照）。
【先行技術文献】
【特許文献】
【０００６】
【特許文献１】実開平２−１６１９６号公報
【特許文献２】実開平１−１４５２９５号公報
【特許文献３】実開平４−９２００号公報
【特許文献４】特開２０１２−２４５２３２号公報
【特許文献５】実開平４−１１５４９２号公報
【特許文献６】実開平４−２５５９４号公報
【発明の概要】
【発明が解決しようとする課題】
【０００７】
しかし、ポリエチレンのような樹脂シートでは、リサイクル性に優れており、使い捨てを容易に行うことができるものの紙製シートと同様に厚みが小さいため、直ぐに熱が浸透し、肌を介して体温が吸熱され、冷たさを感じる。
本発明は上記事情に鑑みてなされたものであり、省資源化だけでなく、冷たさを感じさせないという観点からの体感性にも優れている使い捨て便座シートを提供することを目的とする。
【課題を解決するための手段】
【０００８】
本発明者は、このような課題に対して鋭意研究を重ねた結果、いわゆるプチプチと呼ばれる気泡緩衝材を用いることにより、肌に冷たさを感じさせない体感性と省資源化を図ることができることを見出し、本発明を完成するに至った。
本発明の使い捨て便座シートは、相互に隣接する一方の樹脂シートと他方の樹脂シートの間に気泡を介在させてなる気泡緩衝材を用いて形成されている。気泡緩衝材は、ポリエチレン製であることが好ましい。又は、気泡緩衝材は、生分解性であることが好ましい。又は、気泡緩衝材は、水溶性であることが好ましい。
【発明の効果】
【０００９】
本発明の使い捨て便座シートでは、省資源化だけでなく、冷たさを感じさせないという観点からの体感性にも優れている。
【図面の簡単な説明】
【００１０】
【図１】図１は、本発明の使い捨て便座シートの一実施形態を示す説明図である。
【図２】図２は、図１の使い捨て便座シートの気泡緩衝材に形成された気泡部の断面の概略を示す説明図である。
【図３】図３は、図２の気泡部の変形例を示す説明図である。
【発明を実施するための形態】
【００１１】
以下、本発明を実施するための最良の形態を図面を用いて説明する。
【００１２】
図１は、本発明の使い捨て便座シートの一実施形態を示す説明図である。本実施形態の使い捨て便座シート１は、気泡緩衝材２に切り取り線Ｓ１を入れたものである。この気泡緩衝材２はポリエチレン製であり、割れ物や電子部品を包んだり、クッキーなどの菓子が入った缶の中に封入されたりして使用されており、広く普及しているものである。また、この気泡緩衝材２は、いわゆるプチプチと呼ばれ、エアクッションの機能を有し、梱包資材として店舗で販売されている。
気泡緩衝材２には、一対の便座シート部２ａ毎に切り離すための切り取り線Ｓ２がシート横断方向に形成されている。この切り取り線Ｓ１は、シート長手方向に一定間隔で形成されている。
【００１３】
同図では、気泡が介在した気泡部３が整列配置されている。これらの気泡部３は１列毎に長手方向の位置がずらされている。より詳細にはｎ列目（ｎは整数）と（ｎ+２）列目の気泡部３は長手方向の位置が同一である。そして、ｎ列目の任意の位置をｍ行目とすると、（ｎ+１）列目の気泡部３は、前記ｍ行目と（ｍ+１）行目との中間位置に配置されている。
【００１４】
切り取り線Ｓ１は、便座に沿った湾曲形状の形状ラインを形成している。この形状ラインは、点線状であり、切断された切断部と切断されていない接続部が交互に連続している。ポリエチレンは伸び易く切断することが難しいため、切断部の長さは、接続部に比べて長くされている。
便座シート部２ａの裏面側には、適宜の場所に、両面テープを貼り付け、便座に仮固定できるようにする。両面テープとしては、容易に剥がすことができるアクリル系粘着剤を用いたスリーエム社製のスコッチ（登録商標）を用いることができる。
【００１５】
図２は、気泡緩衝材２に形成された気泡部３の断面の概略を示している。図では、略長方形状の断面をしているが、円弧状であっても良く、特に形状は限定されない。このような気泡部３は、気泡を形成する素材が樹脂シートであるため熱伝導率が銅や鉄などの金属と比べて低く、熱が移動し難い。また、シートは薄いため、熱伝導面の断面積が小さく、熱が移動し難い。さらに、気泡部分は空気であり、優れた断熱材として機能するため、熱の伝達は僅かである。よって、肌から便座への断熱性が非常に高いため、着座してもに肌に冷さを感じ難い。
【００１６】
特に、着座時に図１に示す使い捨て便座シート１が冬場の大気温度によって体温に比べて冷却されている場合、樹脂シートは薄くて熱伝導率が小さいため、肌との接触部が直ぐに昇温し、肌の冷たさを苦に感じなくて済む。熱伝導率が小さいと肌との近接部の温度は、熱伝導率が大きい場合に比べて、温度上昇幅が大きくなる。逆に、肌との接触部からある程度離れた地点では、熱伝導率が小さい方が相対的に温度上昇幅が大きい。横軸に接触部からの距離、縦軸に温度を採った場合、単調減少グラフとなり、熱伝導率の異なる２つの物質のグラフ間には、交差点が発生する。
【００１７】
リサイクル製品の原材料として、例えば、ポリスチレン（ＰＳ）、ポリエチレン（ＰＥ）及びポリプロピレン（ＰＰ）が回収対象となっている。本実施形態の気泡緩衝材２はポリエチレン製であるため、使用後に、リサイクル回収を図ることができ、省資源化に繋がる。
【００１８】
次に、気泡緩衝材２の製造方法について説明する。先ず、筒状に形成した樹脂シートを折り畳んで２層状にする。次いで、２層状のシートに予熱を与えてから、一方の樹脂シート４Ａを凹状の吸着部で吸着することにより、相互に隣接する一方の樹脂シート４Ａと他方の樹脂シート４Ｂの間に気泡を介在させる。次いで、２層を加熱融着させる。
【００１９】
次に、本実施形態の使い捨て便座シート１の使用方法について説明する。使い捨て便座シート１は、トイレットペーパーと同様にロール状にして製品化される。そして、気泡緩衝材２の先端を一定長さ引っ張り、一対の便座シート部２ａが取り出された状態で、シート横断方向に沿った切り取り線Ｓ２に沿って気泡緩衝材２を切断し、１片のシートを切り離す。
なお、１片のシートを複数枚束ねて、製品化しても良い。
【００２０】
次いで、この切り離したシート内に形成された一対の便座シート部２ａのうちの一方の便座シート部２ａをシートから切り離す。切り離した便座シート部２ａの裏面側の両面テープの剥離紙を剥がしてから、一方の便座シート部２ａを便座に仮固定する。次いで、他方の便座シート部２ａもシートから切り離し、剥離紙を剥がしてから、便座に仮固定する。
【００２１】
上述した実施形態の使い捨て便座シートでは、相互に隣接する一方の樹脂シート４Ａと他方の樹脂シート４Ｂの間に気泡を介在させてなる気泡緩衝材２を用いているので、織布や不織布などの布を用いる場合や発泡樹脂を用いる場合に比べて省資源化を図ることができる。また、冷たさを感じさせないという観点からの体感性にも優れている。ここで、気泡緩衝材２は、ポリエチレン製であるため、リサイクル可能な素材であり、省資源化に貢献することができる。
【００２２】
以上、本発明を説明してきたが、本発明は上述した実施形態にのみ限定されるものではなく、その本質を逸脱しない範囲で、種々の変形が可能であることは言うまでもない。
上述した実施形態では、使い捨て便座シート１の気泡緩衝材２としてリサイクル性のある材料を用いた例について説明したが、本発明はこれに限定されるものではない。例えば、生分解性のある材料を用いても良い。生分解性のある材料を用いれば、焼却時にダイオキシンなどの有害ガスを発生しないため、普通ゴミとして廃棄することができる。
【００２３】
また、例えば、水溶性のある材料を用いても良い。水溶性のある材料であれば、便座使用後に使い捨て便座シートを便座から剥がし、便器内に捨ててそのまま水洗することができる。水溶性の材料としては、ポリビニールアルコール（ＰＶＡ）を主成分としたものが知られており、具体的には、アイセロ社が販売するソルバック（登録商標）という水溶性フィルムが知られている。
【００２４】
また、上述した実施形態では、２層からなる気泡緩衝材２について説明したが、図３に示すように、気泡部３の上面側にも樹脂シート４Ｃを設け、サンドイッチ形状にした気泡緩衝材としても良い。
【産業上の利用可能性】
【００２５】
本発明は、使い捨て便座シートに利用することができる。例えば、公園や駅前などの公衆トイレなどに用いられる使い捨て便座シートに利用することができる。
【符号の説明】
【００２６】
１  使い捨て便座シート
２  気泡緩衝材
２ａ  便座シート部
３  気泡部
４Ａ，４Ｂ，４Ｃ  樹脂シート
Ｓ１，Ｓ２  切り取り線
【図１】
2020049358.tif 000003
【図２】
2020049358.tif 000004
【図３】
2020049358.tif 000005